(57)【特許請求の範囲】
【請求項１】
既存の大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムであって、
前記壁側パネル及びサイドパネルを、複数の縦枠と該縦枠間に横設された複数の横枠とにより形成されるフレームのブロック毎にパネル板を着脱可能となしたブロックパネルとし、
前記フレームの横枠の上側空間に収容可能な脱臭機能体と該脱臭機能体を覆う有孔パネル板とからなる脱臭装置を、前記壁側パネル及びサイドパネルの単又は複数のブロックに配設してなり、
前記脱臭機能体を脱臭シート体とするとともに、該脱臭シート体の外周面を軟質枠体により囲んでなる脱臭機能付パネルシステム。
【請求項２】
前記有孔パネル板を、上下複数の水平長孔が形成され、該水平長孔にルーバーが設けられたルーバーパネル板、又は、上下左右複数のパンチング孔が形成されたパンチングパネル板としてなる請求項１記載の脱臭機能付パネルシステム。
【請求項３】
前記脱臭装置を前記サイドパネルの単又は複数のブロックに配設すると共に、該脱臭装置の有孔パネル板を脱臭機能体の表裏に設けてなる請求項１記載の脱臭機能付パネルシステム。
【発明の詳細な説明】
【技術分野】
【０００１】
本発明は、室内空間を仕切るパネルシステムに脱臭機能を持たせた脱臭機能付パネルシステムに係わり、更に詳しくは、特に病院における既存の大部屋病室等の個室化に適した脱臭機能付パネルシステムに関するものである。
【背景技術】
【０００２】
従来、病院の大部屋病室は、廊下側の中央部に出入口があり、該出入口と対面する側には採光のための複数の窓を有し、その両側は構造壁で仕切られた構造が一般的であり、そして出入口から窓へ向かう通路となる共用空間を設け、その両側にベッドを取り囲むように設けられたカーテンで仕切られた個人用空間を設け、その空間内に構造壁側に頭が向くようにベッドが配置された形態が一般的であり、通常は４人部屋、あるいは６人部屋が多い。このような大部屋をカーテンのみで仕切った従来の個人用空間では、入院患者のプライバシーを確保することは殆ど不可能であるばかりでなく、他の患者に対する気遣いも必要であり、それが過度になると患者に心理的ストレスを生じさせたり、患者同士のトラブルの原因ともなり、お世辞にも快適な療養環境とは言えなかった。また、見舞い者や付添い人にとっても居心地が悪く、疲労感を増大させるものであった。
【０００３】
この改善策として、特許文献１には、病院の大部屋において左右で隣り合うベッドの間を床に設置するサイドパネルによって仕切り、前記各ベッドの頭部側には頭部側パネルを設置すると共に、各ベッドの足元側は開閉可能なカーテンを配置した病院の大部屋に形成した個室が開示されている。ここで、前記サイドパネルに、前記ベッドを使用する患者の視野に入る部位に平面状画面のテレビ受像機、又は、該受像機の取付支持具を設けると共に、前記サイドパネル又は頭部側パネルに前記ベッドに向けて人感知センサーを設ける点が開示されている。更に、パネルに積層タイプのブロックパネルを使用し、ブロックパネルの一部に光透過性のものを使用するか、又は、適宜の着色等を施したものを使用するか、若しくは、光透過性のパネルと着色等を施したパネルを使用する点、あるいはサイドパネル又は頭部側パネルには、収納機能を有する収納壁ブロックを使用する点も開示されている。
【０００４】
このような病院の大部屋の個室化パネルシステムにおいては、該パネルシステム及びカーテンにより仕切られる各準個室に臭いがこもりやすいことから脱臭機能を備えることが望ましい。従来の脱臭機能付パネルシステムとして、特許文献２には、表面パネルに空気吸入口と空気吹出口を開口せしめ、裏面パネルに近接して設けた基板上に気流ダクトを配設して前記空気吸入口と前記空気吹出口とを結び、前記気流ダクト内に、オゾン発生器、触媒ユニット及び空気流通ファン等からなる脱臭装置を設けてなる構成の開示がある。
【０００５】
【特許文献１】特開２００４−３５３４１６号公報（図１、図２）
【特許文献２】特開平７−２４３６７８号公報（図４）
【発明の開示】
【発明が解決しようとする課題】
【０００６】
特許文献２のような従来の脱臭機能付パネルシステムの構成では、空気流通ファンによる圧力により強制的に給排気を行い、吸入空気中の臭い成分を吸着してオゾン発生器により供給されるオゾンにより分解するため、屋内空気を再循環させて臭い空気を効率的に浄化することができること、間仕切パネル（パーティション）の表裏パネル間の空間に上記各機器を収容しているため、壁内空間を有効に活用することができること等の効果を奏するものである。
【０００７】
しかし、脱臭装置全体が大掛かりとなること並びに空気流通ファン及びオゾン発生器には電力供給が必要となること等から、イニシャルコスト及びランニングコストが増大する。さらに、脱臭装置が内装される部分が突出して間仕切パネルの厚さが増大するため、室内空間が狭小化すると共に外観の統一性を図ることができない。さらにまた、より脱臭効果を高めたい場所の近くに脱臭装置を移動させたい等の使用者の要求が生じた場合においても、脱臭装置の位置を変更するためには間仕切パネル全体を移動させる必要があるため、このような使用者の要求に機動的に対応することができない。
【０００８】
そこで、本発明が前述の状況に鑑み、解決しようとするところは、既存の大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、病院等において投資負担を少なくして既存の大部屋の個室化を促進することができるように、コストの増大を抑制することができる脱臭機能付パネルシステムを提供することを目的とする。また、使用者の要求に合わせて、脱臭装置の設置位置の変更及び脱臭装置の個数の増減を容易に行うことができる脱臭機能付パネルシステムを提供することを目的とする。さらに、室内の空気の自然対流を効果的に利用して効果的に脱臭することができる脱臭機能付パネルシステムを提供することを目的とする。
【課題を解決するための手段】
【０００９】
本発明に係る脱臭機能付パネルシステムは、既存の大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムであって、前記壁側パネル及びサイドパネルを、複数の縦枠と該縦枠間に横設された複数の横枠とにより形成されるフレームのブロック毎にパネル板を着脱可能となしたブロックパネルとし、前記フレームの横枠の上側空間に収容可能な脱臭機能体と該脱臭機能体を覆う有孔パネル板とからなる脱臭装置を、前記壁側パネル及びサイドパネルの単又は複数のブロックに配設してなり、前記脱臭機能体を脱臭シート体とするとともに、該脱臭シート体の外周面を軟質枠体により囲んでなるものである。
【００１２】
ここで、前記有孔パネル板を、上下複数の水平長孔が形成され、該水平長孔にルーバーが設けられたルーバーパネル板、又は、上下左右複数のパンチング孔が形成されたパンチングパネル板としてなると好ましい。
【００１３】
また、前記脱臭装置を前記サイドパネルの単又は複数のブロックに配設すると共に、該脱臭装置の有孔パネル板を脱臭機能体の表裏に設けてなると好ましい。
【発明の効果】
【００１４】
本発明に係る脱臭機能付パネルシステムによれば、既存の大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムであって、前記壁側パネル及びサイドパネルを、複数の縦枠と該縦枠間に横設された複数の横枠とにより形成されるフレームのブロック毎にパネル板を着脱可能となしたブロックパネルとし、前記フレームの横枠の上側空間に収容可能な脱臭機能体と該脱臭機能体を覆う有孔パネル板とからなる脱臭装置を、前記壁側パネル及びサイドパネルの単又は複数のブロックに配設してなるので、簡素な構成によりコストの増大を抑制することができる。また、使用者の要求に合わせて、前記脱臭装置の位置の変更を行うこと、及び、脱臭性能の加減のために前記脱臭装置の個数を増減することを容易に行うことができる。
【００１５】
その上、前記脱臭機能体が、脱臭シート体であるので、脱臭シート体の接触面積が増大すること、及び、上下方向の空気の流れを阻害することがないため、空調等による室内空気の温度差によって生じる自然対流を効果的に利用できることから、脱臭性能を向上することができる。その上、脱臭シート体が平面視略波形断面形状であると、自立性及び安定性が高い。
【００１６】
その上さらに、前記脱臭シート体の外周面を軟質枠体により囲んでなるので、軟質枠体の弾力性を利用して、脱臭機能体の取付け・取外しを容易にかつ確実に行うことができるため、脱臭装置の取付け作業及びメンテナンス作業が容易となる。
【００１７】
また、前記有孔パネル板を、上下複数の水平長孔が形成され、該水平長孔にルーバーが設けられたルーバーパネル板、又は、上下左右複数のパンチング孔が形成されたパンチングパネル板としてなると、脱臭機能体への空気の吸入及び該脱臭機能体に沿って通過した空気の吹出を容易かつ確実に行うことができると共に、統一した印象により準個室の意匠性を阻害することがない。
【００１８】
さらに、前記脱臭装置を前記サイドパネルの単又は複数のブロックに配設すると共に、該脱臭装置の有孔パネル板を脱臭機能体の表裏に設けてなると、サイドパネルにより仕切られる隣接する２つの準個室で脱臭機能体の表裏両面を利用して脱臭装置を共用することができると共に、一方の準個室から他方の準個室への脱臭装置を通しての空気の流通がないため、衛生上も好ましい。
【発明を実施するための最良の形態】
【００１９】
次に、本発明の実施形態を添付図面に基づき詳細に説明する。図１は、本発明に係る大部屋の個室化パネルシステムが用いられた大部屋病室の例を示す平面図である。図１において、病院の大部屋病室Ｒは、廊下側の中央部に出入口Ｄがあり、該出入口Ｄと対面する側には採光のための複数の窓Ｗ，Ｗを有し、その両側は構造壁Ｃ，Ｃで仕切られており、出入口Ｄから窓Ｗ，Ｗ側まで共用空間Ｓが設けられている。そして、大部屋の個室化パネルシステムＡ，Ａ及び共用空間Ｓに面するカーテンＣＴ，ＣＴにより、準個室Ｒ１〜Ｒ４が形成される。また、構造壁Ｃ側に頭部側を向けてベッドＢ，…が配置される。なお、カーテンＣＴの代わりに、扉付きパネル又は衝立等の開閉可能な仕切手段を配置してもよい。
【００２０】
大部屋の個室化パネルシステムＡは、大部屋Ｒの構造壁Ｃに沿って壁側パネル１，１を設置するとともに、該壁側パネル１，１に対して直角に連結されたサイドパネル２により形成される平面視略Ｔ字状のものであり、該サイドパネル２により、準個室Ｒ１，Ｒ２（Ｒ３，Ｒ４）間が仕切られる。尚、該個室化パネルシステムＡは、壁側パネル１，…に対して、複数のサイドパネル２，…を、間隔を置いて平面視π字状に連結して構成してもよい。この場合は、一方の構造壁Ｃの側に三つの準個室が形成され、大部屋Ｒを６人部屋として使用できる。
【００２１】
このような大部屋の個室化パネルシステムＡ，…を用いると共に、該パネルシステムＡのサイドパネル２の遊端側に開閉可能なカーテンＣＴ又は開閉可能な仕切手段を配置すれば、既設の大部屋Ｒに、よりプライバシーが確保された準個室Ｒ１，…を容易に形成することができる。また、本発明に係る大部屋の個室化パネルシステムＡは、壁側パネル１，１にサイドパネル２を平面視略Ｔ字状、あるいは平面視略π字状に連結した構造体であるので、床面Ｆに自立状態で設置することが可能であり、構造壁Ｃや床面Ｆに何ら手を加える必要がない。従って、既存の病院の大部屋Ｒに、短時間で簡単に設置することが可能であり、その際に騒音等が発生しないので、他の大部屋の入院患者はそのままの状態で施工することも可能である。
【００２２】
図２〜図４は、壁側パネル及びサイドパネルを構成する間仕切パネルの構造の説明図であり、図２は部分分解斜視図、図３はパネル板を縦枠に取付ける構造を示す部分分解斜視図、図４は、フレームの表裏両面にパネル板を取付けた状態を示す縦断側面図である。
【００２３】
壁側パネル１及びサイドパネル２を構成する間仕切パネルは、フレーム１１の表裏に複数枚のパネル板２１，…を上下方向に配列させて着脱可能とした積層タイプのブロックパネル構造である。フレーム１１は両側縦枠１２，１２間に複数の横枠１３，…を横設してなり、縦枠１２のパネル板２１取付面には開口１２ａ，…が形成されている。
【００２４】
パネル板２１の両側縁部の裏面（フレーム１１に対向する面）には、上下の取付孔２１ａ，２１ａが形成されている。そして、該上下の取付孔２１ａ，２１ａには、上部連結具３１及び下部連結具３２が内嵌される。そして、前記フレーム１１の両側の縦枠１２，１２に形成した上下左右の開口１２ａ，…に、前記下部連結具３２に設けた下向きフック３２ａを係止するとともに、前記上部連結具３１に設けた係合爪３１ａを抜止め状態で弾性係合させて前記パネル板２１を取付ける。したがって、パネル板２１，…は、壁側パネル１及びサイドパネル２を構成する間仕切パネルのフレーム１１，…に容易に着脱することができる。尚、上下のパネル板２１，２１間には、横目地材２２が配設されており、上下のパネル板間の間隙を塞ぐと共に特に意匠面での統一感を向上することができる。
【００２５】
図５及び図６は、間仕切パネルの連結構造の説明図であり、図５は分解斜視図、図６は横断平面図である。連結ブロック４１は、水平方向の直交する４方向に間仕切パネルを連結することができる構造となっており、該４方向のうちの１方向には、直接縦枠１２が、その通孔１２ｂを通して取付ボルト４３を螺孔４１ｂに螺合させることにより取付けられる。そして、他の３方向には、通孔４２ｂ，４２ｂを通して螺孔４１ａ，４１ａに取付ネジ４４，４４を螺合させて取付部材４２を連結ブロック４１に固定した状態で、その通孔１２ｂを通して取付ボルト４３を取付部材４２の螺孔４２ａに螺合させることにより、縦枠１２を取付けることができる。
【００２６】
したがって、図５及び図６に示すように、平面視略Ｔ字状の個室化パネルシステムＡにおける壁側パネル１，１及びサイドパネル２を強固にかつ容易に連結することができる。尚、連結ブロック４１には、壁側パネル１，１及びサイドパネル２が連結されない部分に連結部カバー４５が装着され、壁側パネル１及びサイドパネル２間の目地部には、突起部４１ｃ，４１ｃに目地カバー４６，４６が装着される。また、サイドパネル２の遊端部には側カバー４７が装着される。
【００２７】
本実施形態では、前記準個室に面する壁側パネル１及びサイドパネル２は、それぞれ３枚の間仕切パネルを直線状に連結して構成されている。各間仕切パネルを直線状に連結するには、隣接するフレーム１１，１１の両側縦枠１２，１２同士を、その間に図示しない連結ブロックを介して直接ボルトで連結する。ここで、前記間仕切パネルは、横幅が９００ｍｍ、あるいは６００ｍｍ、厚さが９０ｍｍのものを使用している。また、前記パネル板２１の上下幅は、前記フレーム１１の縦枠１２に形成した開口１２ａ，…の最小上下間隔に取付けることが可能な最小基準幅の整数倍で自由に決定することができる。
【００２８】
図７〜図１０は、本発明に係る脱臭機能付パネルシステムの構成例の説明図であり、図７は大部屋の個室化パネルシステムＡのサイドパネル２により仕切られた準個室Ｒ１，Ｒ２を示す斜視図、図８は脱臭機能体を組み込んだ間仕切パネルの分解斜視図、図９は脱臭機能体まわりの横断平面図、図１０は脱臭機能体のフレームへの収容を示す部分分解斜視図である。
【００２９】
図８に示すように、脱臭装置ＤＳは、フレーム１１の縦枠１２，１２間に横設された横枠１３の上側空間に収容可能な脱臭機能体５１と、該脱臭機能体５１を覆う表裏の有孔パネル板であるルーバーパネル板２３，２３とからなる。ルーバーパネル板２３は、前記パネル板２１と同様に（図２〜図４参照。）、フレーム１１に容易に着脱できる構成となっており、ルーバーパネル板２３には、上下複数の水平長孔２３ａ，…が形成され、水平長孔２３ａ，…の上側にはルーバー２３ｂ，…が設けられている。このようなルーバーパネル板２３を用いれば、脱臭機能体５１への空気の吸入及び脱臭機能体５１に沿って通過した空気の吹出を容易かつ確実に行うことができると共に、統一した印象により準個室の意匠性を阻害することがない。
【００３０】
図８及び図１０に示すように、脱臭機能体５１は、脱臭シート体５２の外周面に枠体５３を取付け、脱臭機能体５１を収容するフレーム１１の縦枠１２，１２間の横枠１３の上側空間に合わせた正面視略矩形に形成されている。枠体５３は、従来のプリーツ型のフィルターにおける枠体のような硬質のものと異なり、例えばポリエチレン又はポリウレタン等からなる合成樹脂フォーム又はスポンジ材等の軟質のものであるため、該枠体５３の弾力性を利用してフレーム１１内の縦枠１２，１２及び横枠１３，１３に密着させることができる。また、該軟質の枠体５３により脱臭機能体５１まわりのフレーム１１の寸法誤差等を吸収できるため、脱臭機能体５１の取付けが容易となる。さらに、枠体５３により型崩れしないと共にメンテナンス作業が容易となる。
【００３１】
脱臭シート体５２は、例えば、段ボール、発泡スチロール、スポンジ又はプラスチック等を山折り・谷折りを連続して辺が上下方向となるように形成してなる平面視略波形断面のプリーツ型の基体の表裏面に、活性炭等を含む脱臭シートを貼着してなるものである。なお、前記基体を用いずに、脱臭シートのみにより、平面視略波形の脱臭シート体５２を形成してもよい。脱臭シート体５２は、前記のとおり平面視略波形断面形状であるので、自立性及び安定性が高い形状となっている。したがって、脱臭シート体５２の上下左右を囲む枠体５３は必須のものではなく、該枠体５３をなくして脱臭シート体５２の外形寸法を大きくすることもできる。なお、前記プリーツ型の脱臭シート体５２の前後の山部（稜線部分）を表裏のルーバーパネル板２３，２３に密着させるようにすれば、脱臭機能体をフレーム１１内でさらに安定して保持することができる。
【００３２】
図８及び図１０に示すように、有孔パネル板であるルーバーパネル板２３，２３及び脱臭機能体５１は、容易に着脱可能であるため、メンテナンスを容易に行うことができると共に、使用者の脱臭位置又は脱臭性能の変更等の要求に合わせて、脱臭装置ＤＳの設置位置の変更及び個数の増減を容易に行うことができる。図７においては、サイドパネル２の最下ブロックの中央の一箇所に脱臭装置ＤＳを設けた例、すなわちサイドパネル２の最下ブロックの中央のパネル板の表裏をルーバーパネル板２３，２３として、該ルーバーパネル板２３，２３に覆われる横枠１３の上側空間に脱臭機能体５１を収容した例を示しているが、脱臭装置ＤＳは、壁側パネル１，１に設けてもよいし、最下のブロック全体を脱臭装置ＤＳ，…としてもよい。また、最下のブロック以外のブロックの適宜箇所に、単又は複数の脱臭装置ＤＳ，…を設けてもよい。なお、図７において、壁側パネル１，１及びサイドパネル２の遊端部（側端部）には側カバー４７，…が、上面には笠木４８，…が、最下のパネル板の下側には巾木４９，…が装着される。
【００３３】
図８〜図１０に示すような平面視略波形断面形状の脱臭シート体５２を用いれば、脱臭シート体の接触面積が増大するため脱臭性能が向上する。また、上下方向の空気の流れを阻害することがないため、空調等による室内空気の温度差によって生じる自然対流を効果的に利用して脱臭性能をさらに向上することができる。さらに、例えば図７のようにサイドパネル２に脱臭装置ＤＳを設ければ、脱臭シート体５２（図９参照。）を共用して、脱臭シート体５２の表裏両面を利用して隣接する準個室Ｒ１，Ｒ２の両方の脱臭を行うことができると共に、一方の準個室から他方の準個室への脱臭装置ＤＳを通しての空気の流通がないため、衛生上も好ましい。そして、このような簡素な構成により準個室を効果的に脱臭することができると共にコストの増大を抑制することができるため、投資負担を少なくしながら病院等における既存の大部屋の個室化を促進することができる。
【００３４】
図１１は脱臭機能体を組み込んだ間仕切パネルの分解斜視図であり、図８の例とは有孔パネル板であるパンチングパネル板２４，２４が異なるものである。パンチングパネル板２４は、上下左右複数のパンチング孔２４ａ，…が形成されており、該パンチング孔２４ａ，…により、脱臭機能体５１への空気の吸入及び脱臭機能体５１に沿って通過した空気の吹出が行われる。このような構成によっても前記空気の吸入及び吹出を容易かつ確実に行うことができると共に、統一した印象により準個室の意匠性を阻害することがない。
【産業上の利用可能性】
【００３５】
本発明に係る脱臭機能付パネルシステムによる大部屋の個室化パネルシステムは、病院の大部屋病室に適用することを主な用途とするが、その他の既存の大部屋を個室化する用途、例えば簡易宿泊所、緊急避難所等において大部屋、例えば体育館や公民館等の室内を複数に区画して個室化する用途にも適用できるものである。
【図面の簡単な説明】
【００３６】
【図１】本発明に係る大部屋の個室化パネルシステムが用いられた大部屋病室の例を示す平面図である。
【図２】壁側パネル及びサイドパネルを構成する間仕切パネルの構造の部分分解斜視図である。
【図３】パネル板を縦枠に取付ける構造を示す部分分解斜視図である。
【図４】フレームの表裏両面にパネル板を取付けた状態を示す縦断側面図である。
【図５】間仕切パネルの連結構造を示す分解斜視図である。
【図６】同じく横断平面図である。
【図７】本発明に係る脱臭機能付パネルシステムの構成例を示す斜視図である。
【図８】脱臭機能体を組み込んだ間仕切パネルの構造の分解斜視図である。
【図９】脱臭機能体まわりの横断平面図である。
【図１０】脱臭機能体のフレームへの収容を示す部分分解斜視図である
【図１１】脱臭機能体を組み込んだ間仕切パネルの構造の分解斜視図である。
【符号の説明】
【００３７】
Ａ  大部屋の個室化パネルシステム
Ｂ  ベッド
Ｃ  構造壁
Ｄ  出入口
ＣＴ  カーテン
ＤＳ  脱臭装置
Ｒ  大部屋
Ｒ１〜Ｒ４  準個室
Ｓ  共用空間
Ｗ  窓
１  壁側パネル
２  サイドパネル
１１  フレーム
１２  縦枠
１２ａ  開口
１３  横枠
２１  パネル板
２１ａ  取付孔
２３  ルーバーパネル板（有孔パネル板）
２３ａ  水平長孔
２３ｂ  ルーバー
２４  パンチングパネル板（有孔パネル板）
２４ａ  パンチング孔
３１  上部連結具
３１ａ  係合爪
３２  下部連結具
３２ａ  フック
５１  脱臭機能体
５２  脱臭シート体
５３  枠体
【図１】
0004655773.tif 000002
【図２】
0004655773.tif 000003
【図３】
0004655773.tif 000004
【図４】
0004655773.tif 000005
【図５】
0004655773.tif 000006
【図６】
0004655773.tif 000007
【図７】
0004655773.tif 000008
【図８】
0004655773.tif 000009
【図９】
0004655773.tif 000010
【図１０】
0004655773.tif 000011
【図１１】
0004655773.tif 000012